(57)【要約】   【課題】杖先を持ち上げないで使用できるように実用化された杖では、体位支持時において、杖先が直接地面に接する為、杖先の破損や変形、小石や異物の混入による作動不良、衝撃や騒音の増加が懸念された。また杖以外の利用は考慮されなかった。  【解決手段】キャスターを用いて体位支持時に杖先が直接地面に接しないようにし、かつ、軽い押し応力でキャスターの車輪の回転を制限して強力な滑り防止作用を生じるようにした。また、フックや傘の石突受けを取り付けて運搬具の機能を持たせ、杖本体を複数連結してキャリーバッグの機能を持たせた。【選択図】  図２
2014200380.tif 000002
【特許請求の範囲】
【請求項１】
杖本体とキャスターを備え、軸受けとキャスター受けとの間に伸縮自在な弾性部材が設けられており、キャスターの車輪のみが接地することを特徴とする歩行補助用杖装置。
【請求項２】
非体位支持時には前記弾性部材が伸長し前記キャスターの車輪とキャスター受けの下端が離間し前記キャスターの車輪が回転し、体位支持時には杖本体からの軽い押し応力で前記弾性部材が押さえられてその高さ寸法が収縮し前記キャスター受けの下端が車輪に接触しキャスターの車輪の回転を制御する構造を有することを特徴とする請求項１に記載の歩行補助用杖装置。
【請求項３】
前記杖本体に１個以上のフックまたは柄が固定され、手荷物を吊り下げることができる構造を有していることを特徴とする請求項１又は請求項２に記載の歩行補助用杖装置。
【請求項４】
前記杖本体に傘の石突受けが接続し、傘ホルダーと共に傘を杖本体に固定する構造を有することを特徴とする請求項１〜請求項３のいずれかに記載の歩行補助用杖装置。
【請求項５】
前記歩行補助用杖装置を接続装置とハンドルを用いて複数連結することを特徴とする請求項１〜請求項４のいずれかに記載の歩行補助用杖装置。
【発明の詳細な説明】
【技術分野】
【０００１】
本発明は、歩行補助用杖装置に関するものである。      
【背景技術】
【０００２】
視覚障害者用杖として、車輪付きの杖が実用化されている（例えば、特許文献１参照）。
【０００３】
また、杖先を持ち上げることなく摺動的に抵抗少なく静かに移動し、体位支持時には軽い押し応力で強力な滑り防止作用を生じせしめることによって、杖歩行や歩行補助器の安全性を向上するものとして、ローラー付きの杖が実用化されている（例えば、特許文献２参照）。
【先行技術文献】
【特許文献】
【０００４】
【特許文献１】特開２００１−７０３７５号公報
【特許文献２】実用新案登録第３１０６７６０号公報
【発明の概要】
【発明が解決しようとする課題】
【０００５】
前記視覚障害者用杖は、回転する車輪が装着されただけであり、車輪を制御していない。
【０００６】
前記ローラー付きの歩行補助用杖装置は、ローラー付き脚部が荷重によってローラーを囲成した滑り止め外側ケース内に収容されるよう構成され、体位支持時にローラーが滑り止め外側ケース内に収容されて強力な滑り防止作用を生じせしめる構造となっている。このため、滑り止め外側ケースが接地する際に滑り止め外側ケースに加重がかかり、滑り止め外側ケースの変形や破損を招きやすい。
【０００７】
また、前記ローラー付きの歩行補助用杖装置は、滑り止め外側ケースが接地面に至近距離となっているため、小石や異物が滑り止め外側ケース内に入りやすく、動作不良の原因となる。
【０００８】
ローラーを囲成した滑り止め外側ケースの接地部分に緩衝材を取り付けても、同一の外周を有する一般の杖に比較してその設置面積は狭く、同一の緩衝材を用いた場合の衝撃緩衝機能に劣る。その結果、体位支持時の腕に伝わる衝撃が強くなるほか、接地時の衝撃音も大きくなる。
【０００９】
杖先を持ち上げることなく摺動的に抵抗少なく静かに移動できる性能を有する歩行補助用杖装置であるが、歩行補助用杖に限定され、その性能を生かした他の利用の展開が無い。
【課題を解決するための手段】
【００１０】
本発明は、上記課題を解決する為、体位支持時にローラーを囲成した滑り止め外側ケース（以下、キャスター受けと記載する）内にキャスターを完全に収容しないで、キャスター受けの下端を車輪に接触させることにより車輪の回転を制御し、キャスター受けを直接接地させないで強力な滑り防止作用を生じせしめる構造に特徴を有する歩行補助用杖装置である。
【００１１】
本発明は、上記課題を解決する為、杖本体にフックや傘の石突き受けを取り付けて運搬具の機能を持たせる構造に特徴を有する歩行補助用杖装置である。
【００１２】
本発明は、上記課題を解決する為、杖本体を複数連結してキャリーバッグの機能を持たせる構造に特徴を有する歩行補助用杖装置である。
【発明の効果】
【００１３】
杖本体とキャスターの間に弾性部材を装着し、体位支持時の軽い押し応力によってキャスターを制御することが可能となる。
【００１４】
体位支持時に直接接地するのは車輪であるため、キャスター受けが直接接地することはなく、キャスター受けに生じる変形や破損を回避できる。
【００１５】
軸受けは体位支持時にキャスターの上部に位置するので、キャスター受けの空間に小石や異物が侵入しにくい構造となり、小石や異物による動作不良を回避できる。
【００１６】
車輪が衝撃緩衝材の機能を有するため、体位支持時の腕に伝わる衝撃を緩和し、接地時の衝撃音も和らげることができる。
【００１７】
杖本体にフックや傘の石突き受けを取り付けて手荷物用の運搬具の機能を持たせ、さらに杖本体を複数連結することによりキャリーバッグの機能を持たせることができる。
【図面の簡単な説明】
【００１８】
【図１】図１は、歩行補助用杖装置の実施方法を示した説明図である。（実施例１）
【図２】図２は、歩行補助用杖装置の実施方法を示した説明図である。（実施例２）
【図３】図３は、歩行補助用杖装置の実施方法を示した説明図である。（実施例３）
【図４】図４は、歩行補助用杖装置の実施方法を示した説明図である。（実施例４）
【図５】図５は、歩行補助用杖装置の実施方法を示した説明図である。（実施例５）
【発明を実施するための形態】
【００１９】
本願発明の実施の形態について、実施例を示す図１により説明する。
キャスター受けＢは、ネジＥ１とネジＥ２にて杖本体Ａに固定されている。車輪Ｃ１が軸Ｃ３を介して軸受けＣ２に接続し、軸Ｃ３を中心に車輪Ｃ１が回転する構造のキャスターＣは、軸受けＣ２に固定された芯Ｃ４によりキャスター受けＢに接続している。
【００２０】
杖先を持ち上げることなく摺動的に移動している時のキャスターＣは、キャスター受けＢと軸受けＣ２の間に設置された弾性部材Ｄにより地面方向に押されるので、キャスター受けＢの下端と車輪Ｃ１の間に間隙を生ぜしめ、車輪Ｃ１が軸Ｃ３を中心に自由に回転する。その結果、杖先を持ち上げることなく摺動的に抵抗少なく静かに移動することが可能となる。前記弾性部材はコイルスプリング、板バネ、形状記憶合金、天然ゴム、シリコンゴムやウレタンゴムなどの合成ゴム等を好適なものとして例示できる。
【００２１】
本願発明の実施の形態について、実施例を示す図２により説明する。
キャスター受けＢは、ネジＥ１とネジＥ２にて杖本体Ａに固定されている。車輪Ｃ１が軸Ｃ３を介して軸受けＣ２に接続し、軸Ｃ３を中心に車輪Ｃ１が回転する構造のキャスターＣは、軸受けＣ２に固定された芯Ｃ４によりキャスター受けＢに接続している。
【００２２】
キャスター受けＢと軸受けＣ２の間に設置された弾性部材Ｄにより地面方向に押されているキャスターＣは、体位支持時の軽い押し応力の結果、キャスター受けＢの下端が車輪Ｃ１に接して車輪Ｃ１の回転の抵抗となり、車輪Ｃ１が軸Ｃ３を中心に自由に回転することを妨げる。その結果、体位支持時には強力な滑り防止作用を生じせしめ、杖歩行や歩行補助器の安全性を向上する。
【００２３】
本願発明の実施の形態について、実施例を示す図３により説明する。
キャスターＣを備えた歩行補助用杖装置は、杖先を持ち上げることなく摺動的に抵抗少なく静かに移動することが可能であるため、杖本体ＡにフックＦを固定することにより、手荷物ＹをフックＦに吊り下げて、キャリーとして利用することが可能となる。
【００２４】
本願発明の実施の形態について、実施例を示す図４により説明する。
上記、キャリーとしての利用が可能なキャスターＣを備えた歩行補助用杖装置の杖本体Ａに石突受けＪを固定し、傘ホルダーＫとともに傘Ｚのキャリアとして利用することが可能となる
【００２５】
本願発明の実施の形態について、実施例を示す図５により説明する。
上記、キャリーとしての利用が可能なキャスターＣを備えた歩行補助用杖装置の複数の杖本体Ａを、接続装置Ｇと接続装置Ｈ及びハンドルＩにより接続し、キャリーバックとして利用することが可能となる。
【産業上の利用可能性】
【００２６】
歩行補助用杖として高齢者や身障者の使用に供するのみならず、若年層や健常者にも簡易キャリーとしての新しい需要をもたらすことが可能となる。
【符号の説明】
【００２７】
Ａ     杖本体
Ｂ     キャスター受け
Ｃ     キャスター
Ｃ１   車輪
Ｃ２   軸受け
Ｃ３   軸
Ｃ４   芯
Ｄ     弾性部材
Ｅ１   ネジ
Ｅ２   ネジ
Ｆ     フック
Ｇ     接続装置
Ｈ     接続装置
Ｉ     ハンドル
Ｊ     石突受け
Ｋ     傘ホルダー
Ｙ     手荷物
Ｚ     傘
【図１】
2014200380.tif 000003
【図２】
2014200380.tif 000004
【図３】
2014200380.tif 000005
【図４】
2014200380.tif 000006
【図５】
2014200380.tif 000007